(57)【要約】【課題】健常者はもとより、歩行困難な非健常者や要介護者、手足の上げ下げに不自由な高齢者及び体格的に劣る小児など、年齢、性別、体格、肉体的なハンディに関係無く、精神的、肉体的な苦痛や危険も伴う事無く、安全かつ快適に入浴を可能とするユニバーサルファッション浴槽を提供する。【解決手段】浴槽の周壁の少なくとも一面あるいは一部が左右または前後または上下に開閉するかスライドする壁面を有し、更に浴槽内の湯水を汲み上げ及び還元可能な機能を有し、かつ汲み上げた湯水を一時保管する装置を有し、該保管装置と連結するシャワーを有し、更に身体保護装置、空焚き防止装置、防水装置、及びこれらのシステムと給湯装置システムを一体化して、総合コントロールするパネルを有するユニバーサルファッション浴槽を特徴とする。【選択図】　　　　図１
2004049845.tif 000002
【特許請求の範囲】
【請求項１】
浴槽の周壁の少なくとも一面あるいは一部が左右または前後または上下に開閉するかスライドする壁面を有し、更に浴槽内の湯水を短時間で汲みあげ及び還元可能な機構を有し、かつ汲みあげた湯水を一時的に保管する装置を有することを特徴とするユニバーサルファッシヨン浴槽。
【請求項２】
該一時保管装置と連結されたシャワー装置を有することを特徴とするユニバーサルファッション浴槽。
【請求項３】
該開閉する壁面に近接した手足等の挟まれ警告装置又は防止装置、および浴槽内に湯水が無い状態を感知する空焚き防止安全装置を有するユニバーサルファッション浴槽。
【請求項４】
該開閉する壁断面の全面あるいは一部分あるいは、開閉壁面と接する壁断面の全面あるいは一部分の面が、防水用部材あるいは防水用シール等の防水加工を施した防水用装置を有することを特徴とするユニバーサルファッシヨン浴槽。
【請求項５】
請求項１〜３の作動システムを各種給湯機能システムに組み込み一体化した少なくとも一組以上のコントロールパネルまたはスイッチを浴槽の近辺の壁面あるいは携帯用パネルに組み込むと同時に請求項１〜３の作動スイッチを浴槽のエプロン面または近隣の壁面または携帯用パネルに組み込んだことを特徴とするユニバーサルファッション浴槽。
【発明の詳細な説明】
【０００１】
【発明の属する技術分野】本発明は、健常者はもとより歩行困難な非健常者や要介護者及び高齢者など、年齢や性別、体格、肉体的なハンディに関係無く、精神的な負担や肉体的な負担又は危険を伴うことなく、快適に入浴や体の洗浄を可能とする、開閉壁および浴槽内湯水の一時保管装置および湯水の汲み上げ、還元装置および各種利便性装置と安全性装置を備えた、家庭用あるいは各種公共施設用のユニバーサルファッション浴槽に関するものである。
【０００２】
【従来の技術】従来、家庭用浴槽や公共施設等やこの種の小浴槽は健常者用の浴槽が使用され、非健常者用や乳幼児用は特別な仕様として区分される場合が一般的であった。更に、年齢や性別や身体の大小、ハンディ等の特徴を超えて誰もが一様に安全でかつ満足感を持って使用出来る、ユニバーサルファッション性を備えた浴槽は無かった。
【０００３】又、一般的にこの種の浴槽は、成人健常者を基準にした浴槽のため、体格差や年齢に配慮した設計も不十分であった。従って、これらの欠点を補うために浴槽壁の高さと浴槽底あるいは洗い場の高さの設計時の工夫等がなされ、負担の軽減措置を取る設備が提案されている。更に、高齢者や非健常者用に手摺りや踏み台や段差解消仮置き台の設置等の手段が取られてきている。しかし、全ての人を満足させる浴槽ではなかった。
【０００４】一方、歩行困難等の障害を伴う非健常者あるいは老人、高齢者用の介護を必要とする介護用風呂としては車椅子毎入れる風呂や寝たきりで入れる風呂など種々提案されている。その手段として実開昭５１−７２３０、特開平９−１８２６８５、特開２００１−９６８８２等に提案される防水シートや枠等を利用した折りたたみ式風呂や、実開昭５６−６４３９５、実開平４−１３１２５等の伸縮方式、あるいは実案登録第３０６５０８４号等の壁面の開閉式や実開昭６３−１６７９８８等の組み立て方式等の様々な方式の浴槽、及び特開平４−７５６５６等のベットや布団に折りたたみ浴槽が取り付けられているもの等の多種多様の提案がされている。又、入浴者を懸架して浴槽に出し入れする懸架装置等も提案あるいは開発されている。しかし、これらはいずれも特殊風呂であり、健常者用と区別されるものであった。
【０００５】更に、特開平６−５４７６８、特開平７−１１６０６９等に提案される介護や高齢者用とは限定していないが、設置場所に限定されずに持ち運びや設置が簡単な方式の浴槽や、逆に実開平１−１２８６８９、実案第３０７４２４４号等の様に設置の制約や簡易さを狙った分割型浴槽も提案されている。また特開平６−５４７６８で提案されている設置、使用後に排水の漏れを防ぎ処理を容易にするための分割排水装置を備えた折りたたみ入浴装置等も提案されているが、いずれも特殊なものである。
【０００６】又、配管の利便性や容易さ等の目的以外に、浴槽内での快適を増す手段として、特開平８−１８２７１８、特開平１０−１５３１７等に提案されている温水の循環方式、水流変化方式、更には特開２０００−２７９３３３等の温水浄化方式や、各種薬品の投入方式等の湯水に変化を持たせる提案も多数されている。
【０００７】
【発明が解決しようとする課題】前記した、従来の家庭用等の浴槽や公共施設等の小浴槽は、次のような欠点を有していた。
すなわち、従来より設置されている小浴槽は、健常者で平均的な体格の人に合わせた設計が多く採用され設置されているため、手足の上げ下げに困難さを伴う非健常者や歩行や足の上げ下げに不自由な高齢者さらには体格的に劣る低年齢の児童や幼児には湯船に入る際の精神的な苦痛や肉体的な苦痛と共に危険を伴うものであった。又、手すりや踏み台の設置と使用等の補助装置が不可欠であった。そのため、身体等の洗浄の目的以外に、安らぎや快適性を求めるべき入浴時に精神的な負担や肉体的な負担が多く、危険を伴うため、介護者か補助装置等が必要であり、全ての人を満足させ得る浴槽ではなかった。
【０００８】又、非健常者や高齢者用に提案されている従来の折りたたみや組み立て式等の各種の特殊風呂は一般家庭や宿泊施設等の公共施設においては、設置スペースの問題や特別な配管、排水設備や浴槽内での体洗浄後の汚水処理の問題が不完全であり、実際に使用出来るものは少なかった。又、介護者や準備者に負担が多く、入浴者にとっても精神的な負担も含め快適性に欠ける等の欠点があり使用するには問題が多く、一般にまだ多数に普及するに至らなかった。
【０００９】又、浴槽内の快適性を増す目的の水流変化等の設備も、これらの弱者にとって快適性の促進や苦痛の軽減に直接的に結びつくものではなかった。
【００１０】本発明の目的はこれらの欠点を解決するためになされたものであり、すなわち健常者はもとより、歩行困難や手足の上げ下げに不自由な非健常者や高齢者および体格的に劣る小児等にも差別無く、年齢、性別、体格に関係なく、誰もが精神的な苦痛や肉体的な苦痛や危険を伴うことなく、安全かつ快適に、また外観的には一見通常家庭や宿泊施設等の小浴槽の外観を保ちつつ、如何なる層の人にも満足感を与える浴槽を提供することを目的とするものである。
【００１１】
【課題を解決するための手段】前記した目的を達成する本発明のユニバーサルファッション浴槽の構成は、次の通りである。
すなわち、浴槽の周壁の少なくとも一面あるいは一部が左右または前後または上下に開閉するかスライドする壁面を有し、更に浴槽内の湯水を短時間で汲み上げ及び還元可能な機構を有し、かつ汲み上げた湯水を一時的に保管する装置を有することを特徴とするユニバーサルファッション浴槽である。
【００１２】更に、該保温装置と連結されたシャワー装置を有することを特徴とするユニバーサルファッション浴槽である。
【００１３】更に、開閉する壁面に近接して手足等の挟まれ感知のためのセンサーによる警告ブザーか挟まれ防止柵または薄板等の身体保護装置および浴槽内に湯水が無い状態を感知する空焚き防止安全装置を有するユニバーサルファッション浴槽である。
【００１４】更に、開閉する壁断面の全部あるいは一部分、あるいは開閉面と接する壁断面の全部あるいは一部分の面が、防水部材あるいは防水シール等の防水加工を施した防水装置を有することを特徴とするユニバーサルファッション浴槽である。
【００１５】更に、請求項１〜３の一連の作動システムと、各種給湯機能システムを組み込み一体化した少なくとも一組以上のコントロールパネルまたはスイッチを、浴槽の近辺の壁面あるいは携帯用パネルに組み込む。更に請求項１〜３の作動のみを組み込んだコントロールパネルを上記パネルとは別に浴槽のエプロン面、あるいは近隣の壁面、あるいは携帯用として有することを特徴とするユニバーサルファション浴槽である。
【００１６】上記の開閉壁は、健常者以外の人間が浴槽内に入る際に開閉戸を開き段差を無くして、足の上げ下げを無くして安全で容易に出入りが出来る様にすることが目的である。又、四つんばいや、入浴用車椅子や横臥に近い形の車つき台車でも浴槽内に入れることを容易とするものである。更に、健常者以外の場合は体の洗浄のために、浴槽から出入りせずに浴槽内で体の保温、洗滌、保温の繰り返し動作が容易に出来るとともに浴槽内洗滌も容易に出来ることを可能としたものである。又、新規設計で設置する場合は元より、既設浴槽の改造のいずれの場合も可能であるため、現在使用されているあらゆる浴槽壁に適用が出来るものである。開閉面の材質や形状は、浴槽壁の形状や材質、エプロンの形状や材料、浴槽外壁の形状や材質および取り付け方法等に制約されずに、これらと同形状で同材質のものを一体化したものが外観上違和感が無く好ましい。なお、浴槽底と洗い場床面が同じ高さの浴槽が好ましいが、段差のある浴槽での設計も可能である。この方式の場合は、車椅子毎入る入浴は困難となるが、踏み台等の段差解消台の設置や仮置きは必要が無く、体重移動距離は、半減以下となり、階段の一段分程度の高低のため、寝たきりで自分で手足の自由の利かない人以外は入浴が容易で安全性は向上する。また、必要により手すり等の補助装置を設置する。
【００１７】開閉壁面の横断面は、開放されない壁面の横断面と同じに、全面に弾性のあるものや中空や多溝質の防水部材あるいは防水シール等の防水加工を施した防水装置で塞ぐ。そして、容易に開閉動作が可能であると同時に防水効果が保たれる材質を選定する。防水装置とは合成樹脂または天然の弾性素材あるいはこれらを中空に加工した弾性体が好ましいが、浴槽構造によっては凹凸型や段違い組み合わせ構造として片面あるいは必要面のみに防水部材あるいは防水シール等で防水加工を行っても良い。一般的に自動車の開閉用ドアに近い構造の採用でも良い。また、開閉は手動や半自動あるいは完全自動によるいずれでも可能であるが、健常者等の使用時には、これらの開閉壁は開閉せずに使用することが多く、必要時のみの開閉となるため、油圧式等の自動開閉装置の採用は不必要な場合が多い。
【００１８】浴槽内の湯水を短時間で汲み上げ、および還元可能な機構を設置する目的は、開放時に使用するためであり、汲み上げに十数分以上を必要とする場合は目的に合わない。通常の排水の場合５００Ｌ以下の一般家庭用浴槽で３〜５分程度のものが多く、本発明の汲み上げ及び還元時間も浴槽満水量の８０％容量を十分以内で、好ましくは五分以内で汲み上げ、又は還元出来るポンプ吐出量のものが好ましい。また、本汲み上げ連結パイプを排水管の途中から分岐、連結して排水とポンプによる一時保管装置への切り替え方式にすることも可能である。
【００１９】汲み上げた湯水を一時的に保管する装置は、材質や形状に制約は無く浴槽の満水量と同等程度の容量を一時保管できる容器であれば良い。また設置場所は浴室の内外の何処に置いても良く、最適な空間に設置すれば良く、設置場所の制約は無い。該一時保管装置はパイプやホース等の配管で浴槽と連結出来ていれば良い。短時間の一時保管が目的のため、特別の保温装置は必要としないが、設置場所の年間を通して寒暖の差が激しく極端に低温となる場所では、容器材質や容器周辺保温材等を勘案する。また、一部分の壁面が開閉可能で物理的洗浄が可能な構造とし、各種洗浄、浄化装置の取り付け等も好ましい。
【００２０】シャワーを一時保管装置に連結し取り付ける目的は、開閉壁を開放したまま浴槽内で安全に体洗浄を行い、更にその後の浴槽の洗浄を容易にする為である。従って、単独でもあるいは、各種給湯器と連結してもよいが、シャワーの始動時の温度差を少なくし、低温や高温の湯水が出ることによる不快感や危険を防止するために、一時保管装置の保管容器からの還元を優先使用するシステムを組み込むことが不可欠である。従って、総合コントロールパネルからの切り替え指示をしなければ給湯器からの新たな湯水は出ないシステムとし、別個の本発明システムのみのコントロールパネルでは安全上切り替え作動は出来ないシステムが好ましい。
【００２１】手足の挟まれ感知センサー装置あるいは防止柵または薄板の設置目的は開閉壁を閉める時の安全確保のためである。センサーは開閉壁の切断面かその近隣に設置することが望ましい。又、人の出入りを確認後に手動または自動式で開閉壁の面を防御柵又は防御薄板で覆う方式でも良い。簡単に立てかけるか、懸架式やスライド式等を採用する。
【００２２】また、浴槽内に湯水が無い状態を感知する空焚き防止安全装置の採用も重要である。該装置を本発明のコントロールシステムに組み込む目的は、浴槽への水または湯水の供給や昇温は、既存の各種給湯器を使用し、如何なる制約も無いが、浴槽内湯水の汲み上げや還元システムの稼動時に、空焚きを完全防止するためである。又、取り出し口まで湯水が達していない場合や湯水が無い場合の空焚き防止も安全上は必須である。
【００２３】上記の作動システムと、各種給湯機能システムを組み込み、一体化した少なくとも一組以上のコントロールパネル又はスイッチを浴室内に設置する。更に、本システムのみを組み込んだ別個のコントロールパネルを入浴者の近辺のエプロン部、又は近隣の壁面、又は携帯用に設置することは利便性と安全性の面で必要となる。
【００２４】
【発明の実施の形態】以下に、本発明の実施の一形態を、添付図面により詳細に説明する。
【００２５】図１において、１が浴槽であり、開閉壁２を有する。３は一時保管装置である。保管装置の形状は矩形、楕円形等制約は無いが、一部壁が開閉できるものが好ましい。該保管装置は、１３のポンプを経由して配管剤２４，２５、フィルター３０により、浴槽１と連結される。また、該保管装置の設置場所は、屋内外のいずれでも良く、浴槽壁内や天井内外でも良い。また、給湯装置４と外観上は一体化して、例えば上段に給湯機構、下段に一時保管容器を配置しても良い。また、浴槽壁の中間位置に洗浄床がある構造のものは、洗浄場の床下に一時保管装置を設けても良い。
【００２６】シャワー１７はホース１９配管２５を経由して、一時保管装置３と連結される。シャワー１７は給湯器と連結されたシャワー２０と一体化して、一つとしても良いが、個別のコントロールパネルでは切り替えができないシステムとすることが重要である。高齢者や児童、幼児が誤動作できない安全構造を優先して、一定温度の一時保管装置からのみ個別コントロルパネルの操作で、浴槽内湯水の汲み上げと還元、シャワーのコントロールが出来る方式が、安全上好ましい。該シャワーは開閉壁を開放した状態で、浴槽内で体の洗浄を行うと同時に浴槽内の洗浄を行うが目的で設置する。従って、一時保管装置内で若干の温度低下があっても短時間の体洗浄時間の間の低下であり、洗浄後に湯を還元してから自動給湯装置の稼動による湯足しや昇温により、不快感や危険を伴うほどの温度変化は起こらないため問題はない。なお、該シャワーは一時保管装置のみと連結しているものが安全上は良い。
【００２７】図１における、４は給湯装置を示す。給湯装置は現在使用されている、ガスや電気や灯油方式等いずれの方式のものでも良い。また、自動湯はり、自動ストップ、自動保温、自動湯足し、自動浄化、自動温度制御、追いだき、シャワー給湯、蛇口給湯等の機能のもののほか、釜だき手動ストップ方式のもの、個別制御装置や直だき方式等のものでも良く、特に制約は無い。
【００２８】該給湯装置４は配管２３、フィルター２９を経由して、浴槽１と連結されるとともに、蛇口３１及びホース２０経由でシャワー１８と連結される。また、配管２１経由で台所用給湯装置や蛇口等１１と連結され台所用コントロールパネル３４でも全機能が制御出来るとともに、洗面用給湯装置や蛇口等１２に連結されコントロールパネル３５でも制御される。また、ホース１９、２０、シャワー１７、１８、は一つに一体化しても良いが、非健常者や高齢者や小児などの誤動作等の防止のためには、総合コントロールパネル３６と別個にした個別コントロールパネル又はスイッチ３７を配し、安全ロック機構の取り付けが望ましい。
【００２９】開閉壁面２の開閉部またはその周辺には蝶番８、閉鎖ロック装置２６，２７、挟まれ監視センサー３２、３３、を配置し警報チャイムかブザーと連結する。また、防水装置５，６，７、１５、及び浴槽開放面には下部防水装置９、両端の切断部防水装置１０、が配置される。
【００３０】これらをコントロールするための総合コントロールパネルまたはスイッチは、浴室用３６、台所用３４、に設置する。なお、洗面所用コントロールパネル３５は、最低必要な性能を持たせれば良い。これらのコントロールパネルは、各々の部署の近辺の壁面か、無線携帯用としてコントロール部署の近辺に設置する。また、一時保管装置３の浴槽１への給排水またはシャワー１７をコントロールする個別コントロールパネルまたはスイッチ３７は、エプロン面１６に設置する。該パネル又はスイッチ３７はエプロン上部の壁面でも良い。あるいは給排水面と相対する面が、通常の入浴者の背面に位置するため、健常者以外の人や、介護者が用意に手の届く範囲が好ましい。あるいは、その近隣の壁面に防水携帯式パネルを配置することが望ましい。さらに、児童、幼児のいたずらや、誤動作防止のため、誤動作防止ロックシステムを採用する。
【００３１】排水口２８は、手動落とし込み方式やワンタッチ開閉式等いずれでもよく、排水口２８に続く配水管から、一時保管装置３への配管２５と連結して、排水と一時保管装置３への分割、分配コントロール方式を採用しても良い。
【００３２】また、各種の水流変化機構を採用して、快適性の向上をはかることや、各種薬剤等の投入による快適性の向上をはかることもなんら問題はない。
【００３３】なお、本発明は既存の浴槽を切断して、改造しても良く、その場合は、壁面の三面を切断して切断面に防水装置を付加加工し、図−２に示す水中ポンプ３８を浴槽１に投入し、一時保管タンク３を近隣の適当な場所や壁面や天井あるいは屋外に設置し、ポンプコード３９、ホース４０等で給排水を行っても良い。電源部４１はコード４２、コンセント４３で連絡される。
【００３４】
【発明の効果】以上で明らかなように本発明によれば、健常者の使用時は開閉壁の開閉を行わず、全く既存の浴槽に入る感覚で違和感もなく入浴が可能である。一方、歩行困難者や足の上げ下げに困難な非健常者や高齢者及び小児は、開閉壁の容易な開放により、精神的な負担や肉体的な負担や危険を伴うこと無く、満足感を持って一人で、補助者や介護者なしで容易に入浴が可能となった。更に、介護が必要な車椅子使用者も、脱衣場と浴室入り口の段差解消等の工夫や改造も加えて、一人であるいは補助者が一時的に補助する程度で、入浴が可能となった。また、自分一人で入浴が出来、シャワーを使用して体洗浄と浴槽洗浄が可能となった。又、入浴後に浴槽外に出てから開閉壁を閉め一人で元通りの湯張りが出来るため、健常者と差別無く、精神的な負担も無く、いつでも自分の意志で入浴が出来るため、楽しさを感じることが出来るようになり、施工費用に換えられない効果があることが判明した。
【００３５】又、満水量が通常５００Ｌ以下の一般的な家庭用浴槽では、入浴用車椅子での入浴は十分可能であった。しかし、横臥に近い形の車つき台車での入浴は、スペース的に不可能であった。ただし、台車が入れるスペースがあり長方形の短辺を開閉できるものでは可能であり、病院等の公共用小浴槽では、介護者は必要であるが、健常者と共用の浴槽で十分なことがモデル的に確認できた。
【００３６】更に、本発明の効果としては、既存の浴槽のあらゆるものに対応が可能であり、給湯装置等も既存のものがそそまま使え、システム追加だけで十分なことである。さらに、既設の浴槽も開閉壁面の改造で十分なため、安価に対応ができる等の大きなメリットがある。
【００３７】また、防水装置の形状や色彩は、壁面とマッチしたものや、遊び心を感じさせる形状のものも良く、更には対面部にも外観上それらと同等の形状や色彩のものを対照的に配置することにより、ファッション性の高い浴槽が可能である。少なくとも健常者はもとより歩行困難な非健常者や要介護者および高齢者など、年齢や性別、体格、肉体的なハンディに関係なく、精神的に満足感を得られ、肉体的な危険を伴うことなく、快適に入浴や体の洗浄を可能とする、差別の無い家庭用あるいは各種公共施設用小浴槽のユニバーサルファッション浴槽を提供できる利点がある。
【図面の簡単な説明】
【図１】本発明にかかるユニバーサルファッション浴槽の一例を概略的に示した、本発明の平面図
【図２】本発明の一例の汲み上げポンプを使用した場合の概略を示す側面図
【符号の説明】
１→浴槽、　２→開閉壁面、　３→一時保管装置、　４→給湯装置、　５，６，７，９，１０、１５→防水装置、　８→蝶番、　１１→台所用給湯装置、蛇口等、　１２→洗面用給湯装置、蛇口等、　１３→ポンプ、　１４→浴室壁、　１５，１６→エプロン部、　１７，１８→シャワー、　１９，２０→シャワー用ポース、　２１，２２，２３，２４，２５→配管、　２６，２７→フック、　２８→排水口、　２９，３０→フィルター、　３１→蛇口、　３２，３３→センサー、３４→台所設置用総合コントロールパネル、　３５→洗面場用コントロールパネル、　３６→浴室用総合コントロールパネル、　３７→本発明システムの個別コントロールパネル、　３８、→給排水用水中ポンプ、　３９→ポンプコード、　４０→ホース、　４１→電源部、　４２→電源コード、　４３→コンセント
【図１】
2004049845.tif 000003
【図２】
2004049845.tif 000004